(57)【要約】【課題】  ペーパータオルディスペンサーにおいて、タオルが供給されたときに常に脱臭剤が隣接領域に同時に定量供給される構成を提供する。【解決手段】  ペーパータオルディスペンサーは、ハウジング（１０）と、ハウジング内に回転可能に設けられたペーパータオルロール（１４）とを有している。ペーパータオルロールの中空の芯（１８）に脱臭剤（３６）が配置されており、ペーパータオルロールの回転と同期してファン（２６）がモーター（２２）により回転し、ペーパータオルロールの芯に空気を通過させ、脱臭空気はハウジングに設けられた開口（１６）から送出される。【選択図】      図１
2004154580.tif 000002
【特許請求の範囲】
【請求項１】
脱臭ペーパータオルディスペンサであって、
ハウジングと、
該ハウジング内に回転可能に設けられたペーパータオルロールと、
前記ペーパータオルロールとファンとを同時に回転させるための前記ハウジング内にある駆動手段と、
該駆動手段を作動させる手段とを備え、
前記ペーパータオルロールは、実質的に中空の芯および該芯に関連づけられた脱臭剤を有し、前記ペーパータオルロールの前記芯内に空気を通過させるためのファンが配置されており、前記芯内を通過する空気用の開口が前記ハウジングに設けられており、前記ファンは、前記ペーパータオルロールの回転と同時に前記駆動手段によって作動する、脱臭ペーパータオルディスペンサ。
【請求項２】
前記脱臭剤は、前記ペーパータオルロールの前記芯内に含浸されている、請求項１に記載の脱臭パーパータオルディスペンサ。
【請求項３】
前記脱臭剤は、前記ペーパータオルロールの前記芯内に物理的に配置されている、請求項１に記載の脱臭ペーパータオルディスペンサ。
【請求項４】
前記駆動手段は電気モータであり、該電気モータを作動させる手段は、該電気モータに接続されている赤外線センサを有する、請求項１に記載の脱臭ペーパータオルディスペンサ。
【請求項５】
前記駆動手段は電気モータであり、前記駆動モータを起動させるための手動式のスイッチが前記ハウジングに配置されている、請求項１に記載の脱臭ペーパータオルディスペンサ。
【請求項６】
前記タオルが引き出されるときに回転する部材と前記ファンとの間に機械的接続部を有する、請求項１に記載の脱臭ペーパータオルディスペンサ。
【請求項７】
前記駆動手段と前記ファンとの間に機械的接続部を有する、請求項１に記載の脱臭ペーパータオルディスペンサ。
【請求項８】
ペーパータオルロールを横切って空気を通過させるファンを有するディスペンサにおいて使用するためのペーパータオルロールであって、
該ペーパータオルロールは、タオルが巻かれている実質的に中空の芯、および該芯と関連づけられている脱臭剤を有する、ペーパータオルロール。
【請求項９】
前記脱臭剤は、該ペーパータオルロールの前記芯に含浸されている、請求項８に記載のペーパータオルロール。
【請求項１０】
前記脱臭剤は、該ペーパータオルロールの前記芯内に配置されている、請求項８に記載のペーパータオルロール。
【発明の詳細な説明】
【技術分野】
【０００１】
本発明は、同時作動するトイレ用脱臭装置を備えたペーパータオルディスペンサに関する。
【背景技術】
【０００２】
公衆トイレに脱臭装置がある場合、脱臭装置は、他のトイレ備品とは別に整備される別個の装置とすることが最近のやり方である。公衆トイレに設けられている各備品はメンテナンスを必要とし、かかる備品の数が多すぎる場合、トイレ施設は、幾分雑然とした外観を呈する。
【０００３】
脱臭剤を含むことができる既知のペーパータオルディスペンサがある。たとえば、米国特許第３，１９２，００８号は、ペーパータオルロールとは関連付けられていない脱臭剤の固形上にファンにより空気をディスペンサの周囲の領域に吹き付ける、ペーパータオルディスペンサを開示している。
【０００４】
米国特許第２，７４６，７９８号は、ロールが回転するときは常に噴霧される液体脱臭剤を有するトイレットペーパーロールを示している。
【０００５】
米国特許第２，５３９，０５９号は、ペーパータオルロールとは別個のファンが、ペーパータオルロールとは別個の脱臭剤上に空気を吹きつける、別の形態のペーパータオルディスペンサを示している。
【０００６】
米国特許第２，３４７，５９１号は、ファンが脱臭剤の固形上に空気を吹き付ける、蒸気拡散装置を示している。
【０００７】
米国特許第４，４３６，２２４号は、脱臭剤が、垂直に配置されたロールの芯の中心内に配置され、その芯に配置された手動作動式ポンプの作動により定量供給される、ペーパータオルロールを示している。
【特許文献１】米国特許第３，１９２，００８号
【特許文献２】米国特許第２，７４６，７９８号
【特許文献３】米国特許第２，５３９，０５９号
【特許文献４】米国特許第２，３４７，５９１号
【特許文献５】米国特許第４，４３６，２２４号
【発明の開示】
【発明が解決しようとする課題】
【０００８】
本発明は、脱臭ペーパータオルディスペンサ、およびロールの芯内に一体化された脱臭剤を有するペーパータオルロールに関する。
【０００９】
本発明の主要な目的は、タオルが定量供給されるときは常に脱臭剤が隣接領域に同時に定量供給される、ペーパータオルディスペンサを提供することである。
【００１０】
本発明の別の目的は、記載したように脱臭剤がペーパータオルロールの芯と一体化されたペーパータオルディスペンサを提供することである。
【００１１】
本発明の別の目的は、脱臭剤が内部に組み込まれるペーパータオルディスペンサであって、ペーパータオルがペーパータオル駆動モータ（手動スイッチまたは赤外線操作によるか、あるいはタオルを引き出すことにより作動する手動式駆動部のいずれかによって作動される）の作動により定量供給されるときは常に、ファンが同時に、ペーパータオルロールと関連付けられた脱臭剤内に空気を通過させる、ペーパータオルディスペンサを提供することである。
【００１２】
他の目的は、この後に続く本明細書の記載、添付の図面、および添付の特許請求の範囲において明らかとなろう。
【課題を解決するための手段】
【００１３】
本発明は、脱臭装置とペーパータオルディスペンサを組合わせており、トイレ施設の使用者によりペーパータオルディスペンサが使用されるときは常に脱臭装置が作動する。
【００１４】
より具体的には、ペーパータオルディスペンサは、多くの場合は厚紙製である芯に巻かれたタオルを使用者に定量供給する器具を必要とする従来の半穿孔ペーパータオルまたは連続ロールを備える。芯は、その中に脱臭剤を含浸させていてもよく、あるいは脱臭剤が芯の内側に被膜として塗布されるか、あるいは芯内に配置された離散した粒子の形態又は固形の形態をしていてもよい。いずれの場合であっても、芯内に空気を通過させるファンによって脱臭剤は、隣接領域に定量供給され、このファンは、ペーパータオルを定量供給するように機能する駆動モータにより、または使用者が電力を与える手動作動式駆動機構により作動する。
【００１５】
公衆トイレは一般に、水栓等の手洗装置、さらに、空気乾燥機を含む手乾燥器、積み重ねて置かれたペーパータオル、布の一部を引っ張ることで定量供給される布器具、および連続ロール形態のペーパータオルロール等を備える。また、現在の公衆トイレには、通常は任意のタイプの手乾燥器とは別個のユニットである脱臭装置を有するのが一般的である。公衆トイレの各備品は、メンテナンスおよび設置を必要とする。本発明は、手乾燥器と脱臭剤定量供給装置とを組合わせることで、公衆トイレのメンテナンス費用を減らすとともに備品の初期の設置費用を減らす。連続ロール形態のペーパータオルディスペンサは、内部に脱臭剤が配置される芯を備える。略中空の芯はファンと整合され、ファンは、ペーパータオルディスペンサロールが回転するときには常に作動して、使用者がタオルを取り出すときには常に、脱臭された空気がペーパータオルロールの芯から流れる。
【００１６】
本出願の譲受人であるイリノイ州フランクリンパークのスローンヴァルヴカムパニー（Sloan Valve Company）は、トイレ室洗浄弁、水栓等の赤外線制御洗面装置の製造および販売におけるパイオニアである。米国特許第５，５４８，１１９号は、このような製品で役立つトイレ室用センサアセンブリを例示している。米国特許第５，５４８，１１９号における開示は、本明細書中に参照により援用される。
【発明を実施するための最良の形態】
【００１７】
本発明では、脱臭剤定量供給ペーパータオルディスペンサが添付の図面で概略的に示されている。
【００１８】
図中、図１では、ハウジングが１０で示されており、内部にペーパータオルロール１４が配置されている区画１２を有することができる。スロット又は開口があり、これを通ってタオルが使用者に送り出される。ハウジング１０には、ロール１４の芯１８と整合する開口１６がある。ロール１４は、ハウジング１０の区画２４内に配置された駆動モータ２２により駆動されるアイドラローラ２０により回転可能とされている。駆動モータ２２は、機械的駆動接続部２８を介してファン２６も回転させる。モータ２２がローラ２０を駆動してペーパータオルロール１４を回転させたときに空気が芯１８内を通過して開口１６から流出するよう、ファンは芯１８および開口１６と整合している。
【００１９】
図中、図１に、駆動モータ２２の作動の別形態が示されている。米国特許第５，５４８，１１９号に示された形式またはそれと同様の形式の赤外線センサが３２で示されており、ワイヤにより駆動モータ２２に接続するようにしてもよい。そのユニットに対する電力は、通常の電源またはバッテリーにより供給できる。赤外線センサが動作不能である場合の補助的手動装置として、あるいはペーパータオルディスペンサを作動させる別個の手段として機能することができる手動スイッチ３４もある。
【００２０】
通常、厚紙でできている芯１８は、内部に適当な脱臭剤を含浸し得る。本発明の別の形態では、微粒脱臭剤３６を、略中空の芯１８内に配置して、空気を微粒脱臭剤に吹き付けると、脱臭された空気が開口１６を流れるようにしてもよい。同様に、芯１８が適当な脱臭剤で含浸されている場合、ファン２６がモータ２２により駆動されると、脱臭された空気が芯を通過して開口１６から流出する。本発明の他の実施形態では、芯１８は、芯壁に脱臭剤の膜を有するか、または芯の内部に固形脱臭剤を配置することができる。
【００２１】
図中、図２に、本発明の脱臭ペーパータオルディスペンサの第２の実施形態が示されている。この実施形態は、区画１２を有するハウジング１０を備え、その中にペーパータオルロール１４を配置している。このハウジングには、スロットまたは開口部が形成されていて、該開口部を通してタオルが使用者に送り出される。ハウジングには開口１６が形成され、この開口１６は、ロール１４の芯１８と整合している。
【００２２】
本発明のこの第２の実施形態では、ハウジングに形成されたスロット又は開口を通して使用者がタオルを引っ張るとローラ４０が回転する。タオルに加えられる引張力により、シャフト４２によって大径プーリ４４と接続されているローラ４０が駆動される。ベルト４６が大径プーリ４４と小径プーリ４８とを接続しており、小径プーリがファン５０を回転させる。ファンの回転により、空気がペーパータオルロール１４の芯１８を通過して吹き付けられ、脱臭用空気が周辺領域に定量供給される。
【００２３】
上述した、ファン５０のためのプーリおよびベルト駆動部の代わりに、当業者に既知の他の機械的駆動機構を用いることもできる。
【００２４】
本発明において、ペーパ−タオルロールと、該ロールの芯に関連付けられた適当な脱臭剤とを組み合わせることが特に重要である。使用者は、赤外線センサの操作か、または手動スイッチ３４の操作のいずれかによってロールからタオルを求める以外は何もする必要はなく、使用者によるこのような行為により、脱臭された空気が周辺領域に自動的に定量供給される。ロールの芯が、含浸した形態で、あるいは芯の内部に配置された分離状の粒子または固形状の形態で、脱臭剤を含んでいるため、使用後にペーパータオルロールが交換されるときは常に、同時に新しい脱臭剤源が供給される。
【００２５】
本発明の好適な形態を、本明細書及び図面に図示および説明してきたが、本発明には多くの改変形態、代替形態、および変更形態があることが理解されるべきである。
【図面の簡単な説明】
【００２６】
【図１】電気モータ駆動式タオルディスペンサの立面図である。
【図２】手動作動式ペーパータオルディスペンサの立面図である。
【符号の説明】
【００２７】
１０  ハウジング
１４  ペーパータオルロール
１６  開口
１８  芯
２２  モータ
２６  ファン
【図１】
2004154580.tif 000003
【図２】
2004154580.tif 000004